(57)【要約】【課題】封緘状態を確実なものとし、いたずらがし難く、そのいたずらを容易に確認できる。【解決手段】前後板１、３、両側板２、２、底板５、６、蓋板７、差し込み片１０及びフラップ片１１からなり、差し込み片を前板の内側に差し込んで封緘する包装箱である。差し込み片は、円弧状折り目線ｒ１を介して蓋板に連接されており、差し入れた際、その折り目線によって外側凸状に反ってその両側縁が内側に付勢される。その付勢力によって、差し込み片付け根の切り込み１２がフラップ片の切り欠き１３に入り込んで、差し込み片の付け根の縁１０ａがフラップ片の縁１１ａに係止し、封緘が確実になる。差し込み片を引き上げて開緘すると、開放表示片１５も引き上げられる。このため、その開封を確実に確認でき、物流過程で不正に開緘して商品にいたずらしようとしても、その不正の発見が容易であり、いたずらを未然に防止することができる。【選択図】図４
2015229520.tif 000002
【特許請求の範囲】
【請求項１】
前後板（１、３）、両側板（２、２）、底板（５、６）及び蓋板（７）を有し、前記蓋板（７）にその上縁から内側に延びる差し込み片（１０）を設けるとともに、蓋板（７）を連接した前記前後板（１、３）及び両側板（２、２）の一の板（３）の両側に連接した板（２、２）にその上縁から内側に延びる対のフラップ片（１１、１１）を設け、前記差し込み片（１０）を、前記蓋板（７）を連接した板（３）に対向する板（１）の内側に差し入れて封緘する四角状包装箱であって、
上記蓋板（７）と差し込み片（１０）との連接部の折り目線（ｒ１）を外側凸の円弧状とし、前記差し込み片（１０）の付け根に切り込み（１２）を入れるとともに、上記対のフラップ片（１１、１１）の側縁にその先端から上記一の板（３）に連接した板（２、２）との連接部に至らない切り欠き（１３、１３）をそれぞれ形成し、前記差し込み片（１０）を、前記蓋板（７）を連接した板（３）に対向する板（１）の内側に差し入れた際、前記差し込み片（１０）の付け根が前記切り込み（１２）を介して前記フラップ片（１１、１１）の切り欠き（１３、１３）に入り込んで、前記差し込み片（１０）の付け根の縁（１０ａ）が前記切り欠き（１３、１３）をなすフラップ片（１１、１１）の縁（１１ａ）に係止することを特徴とする四角状包装箱。
【請求項２】
上記対のフラップ片（１１、１１）の側縁の上記切り欠き（１３、１３）の端から上記記一の板（３）に連接した板（２）との連接部の折り目線（ｒ）に至る折り目線（ｒ２）を設け、その折り目線（ｒ２）のフラップ片（１１）と前記一の板（３）に連接した板（２）との折り目線（ｒ）に至った点からその折り目線（ｒ）上の切り目（１４）をフラップ片（１１）の側縁に至る手前まで形成したことを特徴とする請求項１に記載の四角状包装箱。
【発明の詳細な説明】
【技術分野】
【０００１】
この発明は、蓋板による封止（封緘）を確実とした四角状包装箱に関するものである。
【背景技術】
【０００２】
この種の四角状包装箱の一例を、この発明の一実施形態を示す図１、図２を参照して説明すると、前後板１、３、両側板２、２、底板５、６及び蓋板７からなり、蓋板７にその上縁から内側に延びる差し込み片１０を設けるとともに、両側板２、２にその上縁から内側に延びる対のフラップ片１１、１１を設けたブランクからなるものがある。このブランクは、その前板１、一対の側板２、２及び後板３を各折り目線ｒを介し折り曲げて、継代片４を側板２に貼り付けることにより枠状周壁を形成し、対向する底板５、６同士及び隣接する底板５、６を折り目線ｒを介し内側に折り曲げるとともに底板５、６の１組ずつを貼り合わせた後、噛み合わせて底面を閉して、上面開放の包装箱を構成する。
その後、箱内に商品を収納し、まず、対のフラップ片１１、１１を内側水平方向へ折り曲げ、続いて、蓋板７を同様に内側水平方向へ折り曲げるとともに、差し込み片１０を前板１の内側に差し入れて封緘する（特許文献１、要約、図１、図２参照）。
【先行技術文献】
【特許文献】
【０００３】
【特許文献１】特開２０１３−２０９１１４号公報
【特許文献２】特開２０１４−５８３２１号公報
【発明の概要】
【発明が解決しようとする課題】
【０００４】
上記従来の包装箱においては、差し込み片１０の付け根に切り込みを入れるとともに、対のフラップ片の側縁に切り欠きをそれぞれ形成し、差し込み片１０を、前板１の内側に差し入れた際、差し込み片１０の付け根がその切り込みを介してフラップ片１１、１１の切り欠きに入り込んで、差し込み片１０の付け根の縁が前記切り欠きをなすフラップ片１１、１１の縁に係止して、差し込み片１０を介して蓋板７が外れない（開緘しない）ようにしている（特許文献１参照）。
【０００５】
しかし、その従来例においては、蓋板７は折り目線ｒを介して後板３に連接され、差し込み片１０は折り目線ｒを介して蓋板７に連接されており、その蓋板７及び差し込み片１０は折り目線ｒを介して折り曲げられていても、ブランクの素材であるボール紙等の復帰力によって、蓋板７は後板３に対し、差し込み片１０は蓋板７に対してそれぞれ浮き上がろう（復帰しよう）とする力が作用する。
この作用によって、差し込み片１０が前方に跳ね上がるとともに上方に浮き上がる。これらの差し込み片１０の跳ね上がり及び浮き上がりは、差し込み片１０の付け根の縁と上記切り欠きをなすフラップ片１１、１１の縁との係止を外す作用となる。このため、何らかの事情によってその係止が外れて、蓋板７及び差し込み片１０が浮き上がる場合が生じる。この浮き上がった状態は、包装状態としては好ましくなく、その改善が望まれている。
【０００６】
この発明は、以上の実状の下、上記差し込み片１０の浮き上がりを防止することを課題とする。
【課題を解決するための手段】
【０００７】
上記課題を達成するため、この発明は、上記蓋板から差し込み片への折り目線を外側凸の円弧状とすることとしたのである。
その折り目線が外側凸の円弧状であると、上記差し込み片を差し入れた際、その差し込み片は円弧状折り目線によって外側凸状に反ってその両側縁が内側に付勢される。このため、差し込み片の付け根に切り込みを入れ、上記対のフラップ片の上縁に切り欠きをそれぞれ形成し、差し込み片を差し入れた際、差し込み片の付け根がその切り込みを介してフラップ片の切り欠きに入り込んで、差し込み片の付け根の縁が切り欠きをなすフラップ片の縁に係止する構造であれば、前記付勢によってその係止は確実なものとなる。
【０００８】
因みに、円弧状の折り目線は周知であるが（特許文献２、図１、図３参照）、その円弧状折り目線は、包装商品の形状に沿わせるためであって、この発明のように、外側凸状に反り返って差し込み片の両側縁が内側に付勢して差し込み片の係止を確実にする作用をするものではない。
【０００９】
この発明の具体的な構成としては、前後板、両側板、底板及び蓋板を有し、蓋板にその上縁から内側に延びる差し込み片を設けるとともに、蓋板を連接した前後板及び両側板の一の板の両側に連接した板にその上縁から内側に延びる対のフラップ片を設け、差し込み片を、蓋板を連接した板に対向する板の内側に差し入れて封緘する四角状包装箱において、蓋板と差し込み片との連接部の折り目線を外側凸の円弧状とし、差し込み片の付け根に切り込みを入れるとともに、前記対のフラップ片の側縁にその先端から前記一の板に連接した板との連接部に至らない切り欠きをそれぞれ形成し、差し込み片を、蓋板を連接した板に対向する板の内側に差し入れた際、差し込み片の付け根が前記切り込みを介してフラップ片の切り欠きに入り込んで、差し込み片の付け根の縁が前記切り欠きをなすフラップ片の縁に係止する構成を採用することができる。
【００１０】
この構成の四角状包装箱は、上記のように、差し込み片は円弧状折り目線によって外側凸状に反ってその両側縁が内側に付勢されるため、差し込み片の付け根の縁が切り欠きをなすフラップ片の縁に係止すると、その係止は確実なものとなり、その係止を外すことは容易ではない。このため、内封した商品が取り出される等のいたずらもされ難いものである。特に、前記四角枠状筒体がフィルム等によって包装されている場合は、その商品取り出しは殆ど不可能である。
【００１１】
このとき、上記対のフラップ片の側縁の切り欠きの端から上記一の板に連接した板との連接部の折り目線に至る折り目線を設け、その折り目線のフラップ片と前記一の板に連接した板との折り目線に至った点からその折り目線上の切り目をフラップ片の側縁に至る手前まで形成した構成とすることができる。
このようにすると、蓋板を無理に引き上げると（開封すると）、差し込み片の付け根の縁と切り欠きとフラップ片の縁との係止部分も引かれるため、フラップ片の側縁からその一の板との折り目線上が切り目まで引き裂かれ、前記フラップ片の側縁の切り欠きの端から一の板との折り目線に至る折り目線を介し、その折り目線と前記切り目に囲まれる部分が引き上げられる（起立する）。このため、その開封を確実に確認できる。
【発明の効果】
【００１２】
この発明は、以上のように構成したので、封緘が確実であり、商品のいたずらがし難くい包装箱となる。
【図面の簡単な説明】
【００１３】
【図１】この発明に係る包装箱の一実施形態のブランクの平面図
【図２】同実施形態の斜視図
【図３】図２の要部断面図
【図４】同実施形態の作用説明用斜視図
【図５】他の実施形態のブランクの平面図
【図６】（ａ）（ｂ）は同実施形態の作用説明用斜視図
【図７】図６（ｂ）の要部断面図
【図８】同実施形態の作用説明用斜視図
【図９】さらに他の実施形態の斜視図
【発明を実施するための形態】
【００１４】
この発明に係わる四角状包装箱の一実施形態を図１〜図４に示し、この包装箱Ｐは、図１に示すようなボール紙製ブランクから形成される。このブランクでは、前板１、側板２、後板３及び側板２、２が直線状折り目線ｒを介して順々に連設され、前板１に継代片４が直線状折り目線ｒを介して連設されている。前板１及び後板３の下端には底板５が、各側壁２の下端には底板６がそれぞれ直線状折り目線ｒを介して連設され、後板３の上端縁には蓋板７が直線状折り目線ｒを介して連接され、さらに、その蓋板７の上縁から折り目線ｒ１を介して差し込み片１０が連接されている。また、側板２、２にはその上縁からフラップ片１１、１１がそれぞれ直線状折り目線ｒを介して連設されている。なお、図中、細線は折り目線ｒ、ｒ１、ｒ２、太線は切り目線（切断線）を示す。
【００１５】
上記差し込み片１０の付け根には切り込み１２が形成され、対のフラップ片１１の側縁１１ａには切り欠き１３がそれぞれ形成されている。この切り込み１３はフラップ片１１の先縁の端から円弧状に切り込まれて側板２との折り目線ｒ近くまで至って斜めに切りあがっている。その切り上がる始点部分が下記差し込み片１０の付け根の縁１０ａと係止する縁１１ａとなる。
【００１６】
上記蓋板７と差し込み片１０との連接部をなす折り目線ｒ１は外側（図１において左側）に凸の円弧状となっている。このため、この折り目線ｒ１を介し、蓋板７に対して差し込み片１０を内側に折り曲げると、差し込み片１０は円弧状折り目線ｒ１によって外側凸状に反ってその両側縁が内側に付勢される（図２参照）。この付勢によって、差し込み片１０の付け根が上記切り込み１２を介してフラップ片１１の切り欠き１３に入り込んで、差し込み片１０の付け根の縁１０ａが切り欠き１３をなすフラップ片１１の縁１１ａに係止する。このため、前記折り目線ｒ１の曲率は、その付勢度合いによる前記差し込み片１０の付け根の縁１０ａとフラップ片１１の縁１１ａとの係止度合を考慮して適宜に決定する。
【００１７】
また、上記対のフラップ片１１、１１の側縁の上記切り欠き１３、１３の端（上記切り上がり縁）から側板２、２との折り目線ｒに至る折り目線ｒ２が形成され、その折り目線ｒ２のフラップ片１１と側板２との折り目線ｒに至った点からその折り目線ｒ上に切り目１４がフラップ片１１の側縁に至る手前まで形成されている。
このため、差し込み片１０を前板１の内側に差し込んだ封緘状態において、蓋板７を無理に引き上げると（開封すると）、差し込み片１０の付け根の縁１０ａとフラップ片１１の切り欠き１３の縁１１ａとの係止部分も引かれるため、フラップ片１１の側縁からその側板２との折り目線ｒ上が切り目１４まで引き裂かれ、図４に示すように、前記折り目線ｒ２を介し、その折り目線ｒ２と前記切り目に囲まれる部分（開放表示片）１５が引き上げられたり（起立したり）、又はその開放表示片１５が欠損する。このため、その開封を確実に確認できる。
【００１８】
なお、その開放表示片１５の欠損は、図１に示すように、折り目線ｒ２の中程が切り目となっている場合に生じやすい。このため、その折り目線ｒ２の中程を切り目とした場合、前記折り目線ｒ上の切り目１４を形成せず、差し込み片１０の引き上げ時、その折り目線ｒ２の部分が欠如されてフラップ片１１と側板２との連接部の折り目線ｒを介して開放表示片１５が引き上げられるようにすることができる。
【００１９】
この実施形態の包装箱Ｐは以上の構成であり、図１に示すブランクを組み立てて商品を包装するには、従来と同様に、図２に示すように、前板１、一対の側板２、２及び後板３を各折り目線ｒを介し折り曲げて、継代片４を後板３に貼り付けることにより枠状周壁を形成し、対向する底板５、６同士及び隣接する底板５、６を周知の方法によって折り目線ｒを介し内側に折り曲げるとともに底板５、６の１組ずつを貼り合わせた後、噛み合わせて底面を閉止する。
その後、箱Ｐ内に商品を収納し、まず、フラップ片１１、１１を内側水平方向へ折り曲げ、続いて、蓋板７を折り目線ｒを介して閉じ、そのとき、差し込み片１０を、前板１の内側に差し入れる。
【００２０】
この差し込み片１０の差し込み時、その差し込み片１０の折り目線ｒ１が外側凸の円弧状となっているため、差し込み片１０は円弧状折り目線ｒ１によって外側凸状に反ってその両側縁が内側に付勢される。このため、その付勢力によって、差し込み片１０の付け根がその切り込み１２を介してフラップ片１１の切り欠き１３に入り込んで、差し込み片１０の付け根の縁１０ａが切り欠き１３をなすフラップ片１１の縁１１ａに係止する。その係止はフラップ片１１の側縁から入り込んだ切り込み１３内において行われており、差し込み片１０の中央部は外側に凸状となって前板１の内面に接して、内側に付勢されているため、前記差し込み片１０の付け根の縁１０ａとフラップ片１１の縁１１ａとの係止は確実である。このため、蓋板７が不用意に外れることもない。
【００２１】
この封緘した箱を開封（開緘）するには、図４に示すように、前板１上縁の指掛け用切り欠き１６から差し込み片１０に指を掛け、蓋板７を引き上げて開封する。
このとき、その開封に伴い、差し込み片１０の付け根の縁１０ａとフラップ片１１の切り欠き１３の縁１１ａとの係止部分も引かれるため、フラップ片１１の側縁からその側板２との折り目線ｒ上が切り目１４まで引き裂かれ、折り目線ｒ２を介し、その折り目線（ｒ２）と前記切り目１４に囲まれる開放表示片１５が引き上げられたり（立ち上がったり）、又はその開放表示片１５が欠損したりする（図４参照）。
この開放表示片１５が引き上げられたり、欠損したりすることによってその開封を確実に確認できるため、物流過程等で不正に開封して商品にいたずらしようとしても、開封の痕跡が残ることとなり、不正の発見が容易になるので、いたずらを未然に防止することができる。
【００２２】
図５〜図８は他の実施形態を示し、この実施形態の包装箱Ｐ１は、上記実施形態において、差し込み片１０の両側に直線状折り目線ｒを介して係止片１７を設けたものである。
この包装箱Ｐ１は、図５に示すブランクを組み立てて商品を包装するには、上記と同様に、図６に示すように、前板１、一対の側板２、２及び後板３からなる枠状周壁を形成し、底板５、６でもって底面を閉止した後、箱Ｐ内に商品を収納する。
この収納した後、図６（ａ）に示すように、フラップ片１１、１１を内側水平方向へ折り曲げ、続いて、蓋板７を折り目線ｒを介して閉じ、そのとき、係止片１７を内側に折り曲げて差し込み片１０に沿わせた状態で、差し込み片１０を、前板１の内側に差し入れる。
【００２３】
この差し込み片１０が差し込まれると、図６（ｂ）に示すように、係止片１７がその折り目線ｒ部分の復帰力で起立する。このとき、上記と同様に、差し込み片１０の中央部は外側に凸状となって前板１の内面に接して、内側に付勢されている。
このため、蓋板７を開けると、図８に示すように、係止片１７がフラップ片１１につかえて（係止して）蓋板７を十分に開けることができない。このため、中の製品を容易に取り出すことはできない。
【００２４】
この実施形態の包装箱Ｐ１においても、  対のフラップ片１１、１１の側縁の切り欠き１３、１３の端から側板２、２との折り目線ｒに至る折り目線を形成し、その折り目線のフラップ片１１と側板２との折り目線ｒに至った点からその折り目線ｒ上に切り目をフラップ片１１の側縁に至る手前まで形成して蓋板７を引き上げて開封する際、折り目線と切り目に囲まれる開放表示片が引き上げられたり、又はその開放表示片が欠損したりすることによって、その開封を確認できるようにすることができる。
【００２５】
図９にはさらに他の実施形態を示し、この実施形態の包装箱Ｐ２は、前板１に折り目線ｒを介して前頂板１８を設け、その前頂板１８と前板１の連結部（折り目線ｒ上）に差し込み口１９を形成したものである。
この包装箱Ｐ２は、差し込み片１０をその差し込み口１９に差し込んで閉止する。そのとき、差し込み片１０は、外側凸の円弧状の折り目線ｒ１を介して前板１に連接されているため、同様に、差し込み口１９の側縁（前頂板１８）に確実に係止し、その封緘が確実である。
【００２６】
この実施形態の包装箱Ｐ２においても、差し込み口１９の両側縁をなす前頂板１８の部分に、上記と同様な構成の開放表示片１５を形成して開封を確認できるようにすることができる。また、フラップ片１１は省略し得る。
【００２７】
上記各実施形態においては、後板３に蓋板７を連接したが、側板２に蓋板７を連接することもできる。この場合、フラップ片１１は前後板１、３に連接することとなる。
また、この発明に係る四角状包装箱の材料は、ボール紙に限らず、プラスチック板、ダンボール紙等の種々のものを採用できる。
なお、上記係止片１７を有する構成は、差し込み片１０が真っ直ぐな折り目線ｒによって蓋板７に連接されているものにおいても採用できる。
【符号の説明】
【００２８】
Ｐ、Ｐ１、Ｐ２  包装箱
ｒ、ｒ２  直線状折り目線
ｒ１  円弧状折り目線
１  前板
２  側板
３  後板
４  継代片
５、６  底板
７  蓋板
１０  差し込み片
１０ａ  差し込み片の付け根の縁
１１  フラップ片
１１ａ  フラップ片側縁の差し込み片と係止する縁
１２  差し込み片の切り込み
１３  フラップ片側縁の切り欠き
１４  切り目
１５  開放表示片
１６  指掛け用切り欠き
１７  係止片
１８  前頂板
１９  差し込み口
【図１】
2015229520.tif 000003
【図２】
2015229520.tif 000004
【図３】
2015229520.tif 000005
【図４】
2015229520.tif 000006
【図５】
2015229520.tif 000007
【図６】
2015229520.tif 000008
【図７】
2015229520.tif 000009
【図８】
2015229520.tif 000010
【図９】
2015229520.tif 000011